(57)【特許請求の範囲】
【請求項１】
燃焼装置を制御する複数の燃焼制御機器と、該燃焼制御機器を遠隔監視する遠隔監視装置と、該遠隔監視装置による遠隔監視を支援すべく設けられる仲介サーバとがネットワークを介して接続される燃焼制御機器監視システムであって、
上記燃焼制御機器は、
上記仲介サーバに対して、上記遠隔監視装置に提示するファイル閲覧用画面を登録する登録手段と、
上記遠隔監視装置に通知する燃焼制御に関する情報を収集する収集手段と、
上記仲介サーバに接続して、上記収集手段の収集した燃焼制御に関する情報を、上記仲介サーバが管理する上記ファイル閲覧用画面の指定するファイルに転送する転送手段とを備え、
上記遠隔監視装置は、
上記仲介サーバに接続して、上記仲介サーバが管理する上記ファイル閲覧用画面の指定するファイルから、上記燃焼制御機器の収集した燃焼制御に関する情報を取得する取得手段と、
上記ファイル閲覧用画面をディスプレイ画面に表示するとともに、上記取得手段の取得した燃焼制御に関する情報をその表示するファイル閲覧用画面を使って表示し、更に、該情報が音データを持つときには、それを再生する出力制御手段とを備えることを、
特徴とする燃焼制御機器監視システム。
【請求項２】
燃焼装置を制御する複数の燃焼制御機器と、該燃焼制御機器を遠隔監視する遠隔監視装置と、該遠隔監視装置による遠隔監視を支援すべく設けられる仲介サーバとがネットワークを介して接続される燃焼制御機器監視システムで用いられる燃焼制御機器であって、
上記仲介サーバに対して、上記遠隔監視装置に提示するファイル閲覧用画面を登録する登録手段と、
上記遠隔監視装置に通知する燃焼制御に関する情報を収集する収集手段と、
上記仲介サーバに接続して、上記収集手段の収集した燃焼制御に関する情報を、上記仲介サーバが管理する上記ファイル閲覧用画面の指定するファイルに転送する転送手段とを備えることを、
特徴とする燃焼制御機器。
【請求項３】
請求項２記載の燃焼制御機器において、
上記収集手段は、燃焼制御に関する情報として、画像データ及び／又は音データを含む情報を収集することを、
特徴とする燃焼制御機器。
【請求項４】
請求項２又は３記載の燃焼制御機器において、
上記登録手段は、上記仲介サーバに対して、上記ファイル閲覧用画面の参照を許可する上記遠隔監視装置の識別情報についても登録することを、
特徴とする燃焼制御機器。
【請求項５】
燃焼装置を制御する複数の燃焼制御機器と、該燃焼制御機器を遠隔監視する遠隔監視装置と、該遠隔監視装置による遠隔監視を支援すべく設けられる仲介サーバとがネットワークを介して接続される燃焼制御機器監視システムで用いられる遠隔監視装置であって、
上記仲介サーバに接続して、上記燃焼制御機器により該仲介サーバに登録されたファイル閲覧用画面の指定するファイルから、上記燃焼制御機器の収集した燃焼制御に関する情報を取得する取得手段と、
上記ファイル閲覧用画面をディスプレイ画面に表示するとともに、上記取得手段の取得した燃焼制御に関する情報をその表示するファイル閲覧用画面を使って表示し、更に、該情報が音データを持つときには、それを再生する出力制御手段とを備えることを、
特徴とする遠隔監視装置。
【請求項６】
請求項５記載の遠隔監視装置において、
燃焼制御機器に備えられる撮像装置及び／又は集音装置の動作を制御し、その制御に応答して送られてくる画像データ及び／又は音データを入手して出力するコントロール手段を備えることを、
特徴とする遠隔監視装置。
【発明の詳細な説明】
【０００１】
【発明の属する技術分野】
本発明は、燃焼制御機器とそれを遠隔監視する遠隔監視装置とを有する燃焼制御機器監視システムと、その燃焼制御機器監視システムで用いられる燃焼制御機器及び遠隔監視装置とに関し、特に、高品質かつ高信頼性の遠隔監視を実現する燃焼制御機器監視システムと、その燃焼制御機器監視システムで用いられる燃焼制御機器及び遠隔監視装置とに関する。
【０００２】
燃焼システムは高い安全性が要求されることから、一般に、高い保守技術を持つメンテナンス会社が市場に提供されている燃焼システムを集中的に保守するという体制が採られている。このメンテナンス体制を実用的なものとするためには、高品質の遠隔監視を実現する技術の構築が必要である。
【０００３】
【従来の技術】
従来では、燃焼制御機器を遠隔監視する場合には、公衆電話回線を使って燃焼制御機器を遠隔監視するという構成を採っている。
【０００４】
図１７に、従来の燃焼制御機器の遠隔監視システムのシステム構成を図示する。図中に示す遠隔監視装置２は、例えばメンテナンス会社に設置され、燃焼制御機器１-i（ｉ＝１，２，・・・）の運転履歴データなどを収集して管理する装置である。また、燃焼制御機器１-iは、顧客先に設置されている燃焼装置を制御する装置である。
【０００５】
この図に示すように、従来では、公衆の電話回線を使って燃焼制御機器１-iを遠隔監視する構成を採っており、遠隔監視装置２が、燃焼制御機器１-iの各種燃焼制御データをリモート収集する場合には、一般の公衆電話回線網を介して、各々の燃焼制御機器１-iに対して個別に回線接続を行い、接続が確立した後に、データ通信によってデータを収集するように処理していた。
【０００６】
このとき、従来では、これまでに監視対象とされていた燃料流量や空気流量やフレーム電流などのようなコードデータで表される燃焼制御情報を収集対象として、それらの燃焼制御情報を遠隔監視装置２のディスプレイ画面に表示するように処理していた。
【０００７】
【発明が解決しようとする課題】
しかしながら、このような従来技術に従っていると、高品質の遠隔監視を実現できないという問題点があった。
【０００８】
すなわち、電話回線では、実用的なレベルで画像データや音データを送れないことから、炎画像や燃焼音や動作音などを遠隔監視することができず、これがために、高品質の遠隔監視を実現できないという問題点があった。
【０００９】
例えば、火炎センサの検出するフレーム電流を見れば火炎の状態を知ることができるものの、火炎センサの故障を考慮に入れると、フレーム電流が検出されないことで火炎が消えたと断定することは出来ない。
【００１０】
この判断は、最終的には、火炎の画像を見たり火炎の燃焼音を聞くことで実現可能であるが、従来技術では画像データや音データを送れないことから、この最終的な判断を下すことができない。このように、従来技術に従っていると、高品質の遠隔監視を実現できないのである。
【００１１】
更に、従来技術に従っていると、高信頼性の遠隔監視を実現できないという問題点があった。
【００１２】
すなわち、電話回線の信頼性が十分高くないことで、電話回線が接続されないことが起きたり、電話回線が輻輳することで電話回線が接続されないことが起き、これがために、高信頼性の遠隔監視を実現できないという問題点があった。
【００１３】
燃焼システムを安全サイドに運用することは大切なことがあるが、あまりに安全サイドに運用することは、燃焼システムを使っている生産ラインの稼働率を下げることになって、生産コストを上げることになる。一方、燃焼システムを安全サイドに運用することを怠ると、爆発などの事故を引き起こし大きな損害を招くことになる。
【００１４】
これから、従来技術よりも高品質で高信頼性を実現する遠隔監視技術の構築が叫ばれているのである。
【００１５】
本発明はかかる事情に鑑みてなされたものであって、燃焼制御機器を遠隔監視するという構成を採るときにあって、高品質かつ高信頼性の遠隔監視を実現する新たな燃焼制御機器監視システムの提供と、その燃焼制御機器監視システムで用いられる新たな燃焼制御機器及び遠隔監視装置の提供とを目的とする。
【００１６】
【課題を解決するための手段】
図１に本発明を具備する燃焼制御機器監視システムの原理構成を図示する。
【００１７】
図中、１-i（ｉ＝１〜ｎ）はボイラなどの燃焼装置を制御する本発明の燃焼制御機器、２は燃焼制御機器１-iの収集する燃焼制御に関する情報を遠隔監視する本発明の遠隔監視装置、３は燃焼制御機器１-iと遠隔監視装置２との間を接続するインターネットなどのようなネットワーク、４は燃焼制御機器１-iの収集する燃焼制御に関する情報を遠隔監視装置２に提示するネットワーク３に接続されるサーバ、５は燃焼装置の炎の画像などを撮像して燃焼制御装置１-iに入力する撮像装置、６は燃焼装置の燃焼音などを集音して燃焼制御装置１-iに入力する集音装置である。
【００１８】
本発明の燃焼制御機器１-iは、遠隔監視装置２に提示するファイル閲覧用画面をサーバ４に登録する登録手段１０と、遠隔監視装置２に通知する燃焼制御に関する情報を収集する収集手段１１と、収集手段１１の収集した燃焼制御に関する情報をファイル閲覧用画面の指定するサーバ４のファイルに転送する転送手段１２とを備える。
ここで、登録手段１０は、サーバ４に対して、ファイル閲覧用画面の参照を許可する遠隔監視装置２の識別情報についても登録することがある。
【００１９】
一方、本発明の遠隔監視装置２は、サーバ４に接続して、燃焼制御機器１-iの登録したファイル閲覧用画面の指定するファイルから、燃焼制御機器１-iの収集した燃焼制御に関する情報を取得する取得手段２０と、燃焼制御機器１-iがサーバ４に登録したファイル閲覧用画面をディスプレイ画面に表示するとともに、取得手段２０の取得した燃焼制御に関する情報をその表示するファイル閲覧用画面を使って表示し、更に、その情報が音データを持つときには、それを再生する出力制御手段２１と、撮像装置５や集音装置６の動作を制御し、その制御に応答して燃焼制御機器１-iから送られてくる画像データや音データを入手して、ディスプレイ画面に画像を表示したり音を再生するコントロール手段２２とを備える。
【００２０】
このように構成される本発明を具備する燃焼制御機器監視システムでは、燃焼制御機器１-iの登録手段１０は、遠隔監視装置２に提示するファイル閲覧用画面をサーバ４に登録する。
【００２１】
そして、収集手段１１は、警報発生時や規定の周期時などに燃焼制御に関する情報を収集し、これを受けて、転送手段１２は、収集手段１１の収集した燃焼制御に関する情報をファイル閲覧用画面の指定するサーバ４のファイルに転送する。
【００２２】
一方、遠隔監視装置２の出力制御手段２１は、燃焼制御機器１-iがサーバ４に登録したファイル閲覧用画面をディスプレイ画面に表示し、取得手段２０は、このファイル閲覧用画面の指定するサーバ４のファイルから、燃焼制御機器１-iの収集した燃焼制御に関する情報を取得する。これを受けて、出力制御手段２１は、取得手段２０の取得した燃焼制御に関する情報をその表示するファイル閲覧用画面を使って表示したり、その情報が音データを持つときには、それを再生する。
【００２３】
そして、コントロール手段２２は、燃焼制御機器１-iの備える撮像装置５や集音装置６の姿勢などを制御し、その制御に応答して燃焼制御機器１-iから送られてくる画像データや音声データを入手することで、燃焼制御機器１-iの遠隔監視に必要となる燃焼制御に関する画像をリアルタイムにディスプレイ画面に表示したり、燃焼制御機器１-iの遠隔監視に必要となる燃焼制御に関する音をリアルタイムに再生する。
【００２４】
このように、本発明では、インターネットなどのネットワークで利用されるファイル閲覧技術を利用して、燃焼制御機器１-iの収集する燃焼制御に関する情報を遠隔監視装置２で取得できるようにすることから、燃焼制御機器１-iの収集する画像データや音声データについても遠隔監視装置２で取得できるようになることで、高品質の遠隔監視を実現できるようになるとともに、ネットワークの持つ高い信頼性に従って高信頼性の遠隔監視を実現できるようになる。
【００２５】
【発明の実施の形態】
以下、実施の形態に従って本発明を詳細に説明する。
【００２６】
図２に、本発明の一実施例を図示する。図中、図１で説明したものと同じものについては同一の記号で示してある。
【００２７】
１ａは燃焼制御機器１に対応付けて備えられるパーソナルコンピュータ、３ａはインターネット、４ａはＷebサーバ、５ａは燃焼装置の炎などを撮像するカラーカメラ、６ａは燃焼装置の燃焼音などを集音するマイクロフォン、７はパーソナルコンピュータ１ａの備えるファイルである。
【００２８】
このパーソナルコンピュータ１ａは、燃焼制御機器１の持つべき機能を代行するものであり、その持つべき機能が燃焼制御機器１に内蔵される場合には備える必要はない。
【００２９】
本発明を実現するために、パーソナルコンピュータ１ａは、燃焼制御に関する情報の閲覧用に用意されるＷeb画面を登録するＷeb画面登録プログラム１００と、遠隔監視装置２に通知する燃焼制御のトレンドデータを収集するトレンドデータ収集プログラム１０１と、インターネット３ａのファイル転送プロトコルに従って、収集されたトレンドデータの送信処理を実行するトレンドデータ送信プログラム１０２とを備える。一方、遠隔監視装置２は、ファイル閲覧ソフトを構成するブラウザ２００と、ＷＷＷに関する米国Ｍicrosoft社の技術であるＡctive Ｘ２０１とを備える。
【００３０】
パーソナルコンピュータ１ａに展開されるＷeb画面登録プログラム１００は、ホームページを起点とするＷＷＷのＷeb画面を作成して、Ｗebサーバ４ａに登録する処理を行う。このとき、Ｗeb画面登録プログラム１００は、インターネット３ａに接続される遠隔監視装置２以外の端末がこのＷeb画面を参照できないようにするために、Ｗebサーバ４ａに対して、このＷeb画面の参照を許可する遠隔監視装置２のＵＲＬを通知していくことになる。
【００３１】
Ｗeb画面登録プログラム１００の登録するＷeb画面は、例えば、図３に示すように、遠隔監視の対象となる燃焼制御機器１の一覧画面から読み出される各燃焼制御機器１のホームページを起点として、時間の経過とともに変化する燃焼制御機器１の燃焼制御状態を示すトレンドデータの表示用に用意される図４に示すようなＷeb１画面と、燃焼制御シーケンスの経過とともに変化する燃焼制御機器１の燃焼制御状態を示すトレンドデータの表示用に用意される図５に示すようなＷeb画面２と、異常発生時点の燃焼制御機器１の燃焼制御状態を示すトレンドデータの表示用に用意される図６に示すようなＷeb画面３とを有する。
【００３２】
このＷeb１画面にリンクするＷebサーバ４ａのファイル４０には、時間の経過とともに変化する燃焼制御機器１の燃焼制御状態を示すトレンドデータが格納され、このトレンドデータは、このＷeb１画面から呼び出されて、このＷeb１画面で表示されることになる。また、このＷeb２画面にリンクするＷebサーバ４ａのファイル４１には、燃焼制御シーケンスの経過とともに変化する燃焼制御機器１の燃焼制御状態を示すトレンドデータが格納され、このトレンドデータは、このＷeb２画面から呼び出されて、このＷeb２画面で表示されることになる。また、このＷeb３画面にリンクするＷebサーバ４ａのファイル４２には、異常発生時点の燃焼制御機器１の燃焼制御状態を示すトレンドデータが格納され、このトレンドデータは、このＷeb３画面から呼び出されて、このＷeb３画面で表示されることになる。
【００３３】
図７ないし図９に、パーソナルコンピュータ１ａに展開されるトレンドデータ収集プログラム１０１の実行する処理フローの一実施例を図示する。
【００３４】
トレンドデータ収集プログラム１０１は、図７の処理フローに従う場合には、燃焼制御機器１が燃焼制御処理に入ることで起動されると、先ず最初に、ステップ１で、図示しないトレンドデータ用メモリに格納される最新データの格納先メモリ域をポイントする最新データポインタＰに初期値“１”をセットする。ここで、トレンドデータ用メモリのメモリ域の数をＮ個と想定しているので、最新データポインタＰの値の最大値はＮとなる。
【００３５】
続いて、ステップ２で、燃焼制御機器１が燃焼制御処理を終了したのか否かを判断して、燃焼制御処理が終了したことを判断するときには、処理を終了し、燃焼制御処理が終了していないことを判断するときには、ステップ３に進んで、燃焼制御に異常が発生したのか否かを判断する。
【００３６】
この判断処理で、燃焼制御に異常が発生したことを検出するときには、ステップ４に進んで、これから説明する収集処理を停止し、トレンドデータ送信プログラム１０２を起動して、処理を終了する。
【００３７】
一方、ステップ３の判断処理で、燃焼制御に異常が発生していないことを検出するときには、ステップ５に進んで、例えば１秒周期で定義される規定の収集周期に到達したのか否かを判断して、収集周期に到達していないことを判断するときには、そのままステップ２に戻り、収集周期に到達したことを判断するときには、ステップ６に進んで、燃焼制御機器１から火炎センサの検出値や燃料弁の開度などの規定の燃焼制御情報を収集し、続くステップ７で、カラーカメラ５ａの撮像する燃焼装置の炎の画像データを入力する。
【００３８】
続いて、ステップ８で、最新データポインタＰの値の指すトレンドデータ用メモリのメモリ域に、ステップ６で収集した燃焼制御情報とステップ７で入力した炎画像データとを格納する。
【００３９】
続いて、ステップ９で、最新データポインタＰの値を１つインクリメントし、続くステップ１０で、その更新した最新データポインタＰの値が最大値であるＮを超えたのか否かを判断して、超えたことを判断するときには、ステップ１１に進んで、最新データポインタＰの値を“１”に変更してからステップ２に戻り、超えないことを判断するときには、そのままステップ２に戻る。
【００４０】
このようにして、トレンドデータ収集プログラム１０１は、図７の処理フローに従う場合には、例えば１秒周期で定義される収集周期に到達すると、トレンドデータ用メモリに格納される最も古いデータを消去しながら、循環形式の格納形態に従いつつ、燃焼制御機器１から収集する燃焼制御情報とカラーカメラ８の撮像する燃焼装置の炎画像データとをトレンドデータ用メモリに格納していって、燃焼制御に異常が発生すると、その収集処理を停止して、トレンドデータ送信プログラム１０２を起動していくように処理するのである。ここで、異常が発生した後の規定時間の間、この収集処理を続行していくという構成を採ることも可能である。
【００４１】
一方、トレンドデータ収集プログラム１０１は、図８の処理フローに従う場合には、燃焼制御機器１が燃焼制御処理に入ることで起動されると、先ず最初に、ステップ１で、上述した最新データポインタＰの値に初期値“１”をセットする。
【００４２】
続いて、ステップ２で、１回目の収集処理の時刻に到達するのを待って、その収集処理時刻で、燃焼制御機器１から燃焼制御情報を収集するとともに、カラーカメラ５ａの撮像する燃焼装置の炎の画像データを入力し、続くステップ３で、最新データポインタＰの値の指すトレンドデータ用メモリのメモリ域に、ステップ２で収集した燃焼制御情報及び炎画像データを格納する。
【００４３】
続いて、ステップ４で、収集処理の終了時刻に到達したのか否かを判断して、収集処理の終了時刻に到達したことを判断するときは、処理を終了する。一方、収集処理の終了時刻に到達していないことを判断するときには、ステップ５に進んで、前回の収集処理から例えば１時間といった規定時間が経過したのか否かを判断して、規定時間が経過していないことを判断するときには、ステップ４に戻り、規定時間が経過したことを判断するときには、ステップ６に進んで、最新データポインタＰの値を１つインクリメントする。
【００４４】
続いて、ステップ７で、次の収集処理の時刻に到達したことに合わせて、燃焼制御機器１から燃焼制御情報を収集するとともに、カラーカメラ５ａの撮像する燃焼装置の炎の画像データを入力し、続くステップ８で、最新データポインタＰの値の指すトレンドデータ用メモリのメモリ域に、ステップ７で収集した燃焼制御情報及び炎画像データを格納して、ステップ４に戻る。
【００４５】
このようにして、トレンドデータ収集プログラム１０１は、図８の処理フローに従う場合には、例えば規定の燃焼シーケンスにおける燃焼制御情報と炎画像データとが、時間経過とともにどのように変化していくのかというトレンドデータを収集して、それをトレンドデータ用メモリに格納していくように処理するのである。
【００４６】
一方、トレンドデータ収集プログラム１０１は、図９の処理フローに従う場合には、燃焼制御機器１が燃焼制御処理に入ることで起動されると、先ず最初に、ステップ１で、上述した最新データポインタＰの値に初期値“１”をセットする。
【００４７】
続いて、ステップ２で、燃焼制御機器１の実行する最初の燃焼シーケンス（通常はプレパージ）で、燃焼制御機器１から燃焼制御情報を収集するとともに、カラーカメラ５ａの撮像する燃焼装置の炎の画像データを入力し、続くステップ３で、最新データポインタＰの値の指すトレンドデータ用メモリのメモリ域に、ステップ２で収集した燃焼制御情報及び炎画像データを格納する。
【００４８】
続いて、ステップ４で、燃焼シーケンスが最終シーケンス（通常はポストパージ）まで終了したのか否かを判断して、最終シーケンスまで終了したことを判断するときは、処理を終了する。一方、燃焼シーケンスが最終シーケンスまで終了していないことを判断するときには、ステップ５に進んで、燃焼シーケンスが次のシーケンスに移行したのか否かを判断して、移行していないことを判断するときには、ステップ４に戻り、移行したことを判断するときには、ステップ６に進んで、最新データポインタＰの値を１つインクリメントする。
【００４９】
続いて、ステップ７で、移行先となるシーケンスで、燃焼制御機器１から燃焼制御情報を収集するとともに、カラーカメラ５ａの撮像する燃焼装置の炎の画像データを入力し、続くステップ８で、最新データポインタＰの値の指すトレンドデータ用メモリのメモリ域に、ステップ７で収集した燃焼制御情報及び炎画像データを格納して、ステップ４に戻る。
【００５０】
このようにして、トレンドデータ収集プログラム１０１は、図９の処理フローに従う場合には、「プレパージ→パイロット点火トライアル→パイロット点火→メイン点火→メイン安定→定常燃焼→ポストパージ」といったように続く燃焼シーケンスの進行に応じて、燃焼制御情報と炎画像データとがどのように変化していくのかというトレンドデータを収集して、それをトレンドデータ用メモリに格納していくように処理するのである。
【００５１】
このように、トレンドデータ収集プログラム１０１は、図７の処理フローに従って、異常発生時点の燃焼制御機器１の燃焼制御状態を示すトレンドデータを収集し、図８の処理フローに従って、時間の経過とともに変化する燃焼制御機器１の燃焼制御状態を示すトレンドデータを収集し、図９の処理フローに従って、燃焼制御シーケンスの経過とともに変化する燃焼制御機器１の燃焼制御状態を示すトレンドデータを収集するのである。このようにして収集されたトレンドデータは、ファイル７に保存されることになる。
【００５２】
図７ないし図９の処理フローでは、燃焼制御情報と炎の画像データとの対データからなるトレンドデータを収集していくことで説明したが、マイクロフォン６ａの集音する燃焼音や燃焼制御部品の動作音などの音データを入力することで、燃焼制御情報と炎の画像データと燃焼音などの音データとの対データからなるトレンドデータを収集したり、燃焼制御情報と燃焼音などの音データとの対データからなるトレンドデータを収集するように処理することもある。
【００５３】
また、図７ないし図９の処理フローでは、画像データとして炎の画像データを収集していくことで説明したが、その他に、燃焼制御部品の画像データから、その燃焼制御部品の動作状態（例えはダンパの開度）を知ることができるので、燃焼制御部品の画像データを収集するように処理することもある。
【００５４】
次に、パーソナルコンピュータ１ａに展開されるトレンドデータ送信プログラム１０２が実行する図１０の処理フローに従って、トレンドデータ送信プログラム１０２の実行処理について説明する。
【００５５】
トレンドデータ送信プログラム１０２は、燃焼制御に異常が発生することでトレンドデータ収集プログラム１０１から起動されると、図１０（ａ）の処理フローに示すように、トレンドデータ収集プログラム１０１が図７の処理フローに従って収集したトレンドデータを、インターネット３ａのプロトコルに従ってＷebサーバ４ａのファイル４２に送信する。
【００５６】
一方、トレンドデータ送信プログラム１０２は、規定の送信周期になると、図１０（ｂ）の処理フローに示すように、トレンドデータ収集プログラム１０１が図８の処理フローに従って収集したトレンドデータを、インターネット３ａのプロトコルに従ってＷebサーバ４ａのファイル４０に送信するとともに、トレンドデータ収集プログラム１０１が図９の処理フローに従って収集したトレンドデータを、インターネット３ａのプロトコルに従ってＷebサーバ４ａのファイル４１に送信する。
【００５７】
このとき、前回の送信周期で送信したトレンドデータの続き部分のみを送信するのか、これまでに送信したトレンドデータ部分も含めて送信するのかについては、Ｗebサーバ４ａとの間で取り決めた規約に従うことになる。
【００５８】
このようにして、トレンドデータ送信プログラム１０２の送信処理に従って、Ｗebサーバ４ａのファイル４２に、異常発生時点の燃焼制御機器１の燃焼制御状態を示すトレンドデータが格納され、Ｗebサーバ４ａのファイル４０に、時間の経過とともに変化する燃焼制御機器１の燃焼制御状態を示すトレンドデータが格納され、Ｗebサーバ４ａのファイル４１に、燃焼シーケンスの経過とともに変化する燃焼制御機器１の燃焼制御状態を示すトレンドデータが格納されることになる。
【００５９】
次に、遠隔監視装置２に展開されるブラウザ２００が実行する図１１の処理フローに従って、ブラウザ２００の実行処理について説明する。
【００６０】
ブラウザ２００は、閲覧の許可された遠隔監視装置２からの指示に応答して、図３に示した燃焼制御機器一覧画面から選択された燃焼制御機器１のＷeb画面を表示しているときに、遠隔監視装置２のオペレータがボタンを操作すると、図１１の処理フローに示すように、先ず最初に、ステップ１で、そのボタン操作がファイル４０に格納されるトレンドデータの表示要求であるのか否かを判断して、そうであることを判断するときには、ステップ２に進んで、Ｗebサーバ４のファイル４０に格納されるトレンドデータを取得して、図４に示したＷeb画面の対応する位置に表示することで、図１２に示すように、トレンドデータ収集プログラム１０１の収集したトレンドデータを表示する。
【００６１】
上述したように、Ｗebサーバ４のファイル４０には、トレンドデータ収集プログラム１０１の収集した時間の経過とともに変化する燃焼制御機器１の燃焼制御状態を示すトレンドデータが格納されているので、このトレンドデータを取得してＷeb画面に表示するのである。
【００６２】
一方、ステップ１で、オペレータのボタン操作がファイル４０に格納されるトレンドデータの表示要求でないことを判断するときには、ステップ３に進んで、そのボタン操作がファイル４１に格納されるトレンドデータの表示要求であるのか否かを判断して、そうであることを判断するときには、ステップ４に進んで、Ｗebサーバ４のファイル４１に格納されるトレンドデータを取得して、図５に示したＷeb画面の対応する位置に表示することで、図１３に示すように、トレンドデータ収集プログラム１０１の収集したトレンドデータを表示する。
【００６３】
上述したように、Ｗebサーバ４のファイル４１には、トレンドデータ収集プログラム１０１の収集した燃焼シーケンスの経過とともに変化する燃焼制御機器１の燃焼制御状態を示すトレンドデータが格納されているので、このトレンドデータを取得してＷeb画面に表示するのである。
【００６４】
一方、ステップ３で、オペレータのボタン操作がファイル４１に格納されるトレンドデータの表示要求でないことを判断するときには、ステップ５に進んで、そのボタン操作がファイル４２に格納されるトレンドデータの表示要求であるのか否かを判断して、そうであることを判断するときには、ステップ６に進んで、Ｗebサーバ４のファイル４２に格納されるトレンドデータを取得して、図６に示したＷeb画面の対応する位置に表示することで、図１４に示すように、トレンドデータ収集プログラム１０１の収集したトレンドデータを表示する。
【００６５】
上述したように、Ｗebサーバ４のファイル４２には、トレンドデータ収集プログラム１０１の収集した異常発生時点の燃焼制御機器１の燃焼制御状態を示すトレンドデータが格納されているので、このトレンドデータを取得してＷeb画面に表示するのである。
【００６６】
一方、ステップ５で、オペレータのボタン操作がファイル４２に格納されるトレンドデータの表示要求でないことを判断するときには、ステップ７に進んで、ユーザの操作したボタンの指定する処理を行う。
【００６７】
このようにして、ブラウザ２００は、遠隔監視装置２のオペレータからの表示要求に応答して、Ｗeb画面から選択されるＷebサーバ４のファイル４０，４１，４２から燃焼制御機器１のトレンドデータを取得して、それをＷeb画面に表示していくように処理するのである。
【００６８】
このとき表示されるトレンドデータには、燃焼装置の炎の画像データが含まれており、これから、遠隔監視装置２のオペレータは、あたかも現場で作業するような状況で燃焼制御状態を把握できるようになる。
【００６９】
ここで、ポケットベルや携帯電話などを使って、遠隔監視装置２のオペレータに対して、燃焼制御に異常が発生したことを知らせる手段が用意されていることが好ましい。そのような手段が用意されていると、遠隔監視装置２のオペレータは、直ちに、異常発生時点の燃焼制御機器１の燃焼制御状態を示すトレンドデータを見ることができるようになるからである。
【００７０】
また、ブラウザ２００の取得するトレンドデータには、上述したように、マイクロフォン６ａの集音する燃焼音や燃焼制御部品の動作音などの音データが含まれることがある。この場合には、ブラウザ２００は、例えば、Ｗeb画面に表示しているトレンドデータの中から音データを持つ部分がマウスでクリックされると、その音データの規定する音を再生してスピーカから出力していくように処理することになる。この音の再生処理により、遠隔監視装置２のオペレータは、例えば、バルブの動作音を聞けることで、バルブが正常に動作しているのか否かといったことが遠隔監視装置２の側で監視できるようになる。
【００７１】
以上の説明では、遠隔監視装置２の表示するＷeb画面に、燃焼制御機器１の燃焼制御状態のトレンドデータを表示することを具体例にして本発明を説明したが、本発明の基本的な技術思想は、ＷＷＷを使って、燃焼制御機器１の燃焼制御状態を遠隔監視することにある。
【００７２】
これから、燃焼制御機器１の燃焼制御状態のトレンドデータ以外のデータについても、同様な方法に従って遠隔監視装置２の表示するＷeb画面に表示するように処理している。
【００７３】
すなわち、例えば、燃焼制御機器１の制御対象とするボイラの選択に用いる図１５に示すようなＷeb画面を用意するとともに、そのＷeb画面で選択されたボイラの燃焼制御情報の表示に用いる図１６に示すようなＷeb画面を用意して、燃焼制御装置１により収集された燃焼制御情報をそれらのＷeb画面を使って表示するように処理している。
【００７４】
以上説明したことから分かるように、本発明では、画像データや音データを簡単に遠隔地に送信できるというインターネット３ａの機能を利用することで、遠隔監視装置２のオペレータが、画像データや音データを含む燃焼制御機器１の燃焼制御状態のデータを見たり聞いたりできるようにすることを実現している。
【００７５】
これにより、遠隔監視装置２のオペレータは、電話回線を使って燃焼制御状態のデータを取得するという方法を採る従来技術に比べて、燃焼制御機器１の燃焼制御状態を正確に監視できるようになるとともに、燃焼制御の異常原因を正確かつ簡単に特定できるようになる。
【００７６】
次に、遠隔監視装置２に展開されるＡctive Ｘ２０１の機能について説明する。
【００７７】
このＡctive Ｘ２０１は、ＷＷＷに関する米国Ｍicrosoft社の技術であり、Ｗebサーバ４ａからプログラムをダウンロードして実行することで、オペレータとシステムとの間で交互にやり取りを行うというインタラクティブな処理を行うものものである。
【００７８】
本発明では、カラーカメラ５ａの姿勢やズームを変更可能にするアクチュエータを用意するとともに、マイクロフォン６ａの姿勢を変更可能にするアクチュエータを用意する構成を採って、このＡctive Ｘ２０１のインタラクティブな機能を使って、ユーザからの指示に従って、カラーカメラ５ａの姿勢やズームを変えることで撮像対象を変えたり、マイクロフォン６ａの姿勢を変えることで集音先の対象を変えるように処理する。
【００７９】
そして、そのようにしてカラーカメラ５ａにより撮像される画像データや、マイクロフォン６ａにより集音される音データを、Ｗebサーバ４ａのファイルを介さず取得する構成を採ることで、カラーカメラ５ａにより撮像される画像をリアルタイムにＷeb画面に表示したり、マイクロフォン６ａにより集音される音をリアルタイムに再生するように処理する。
【００８０】
この構成を採ることで、遠隔監視装置２のオペレータは、あたかも燃焼制御機器１の設置現場にいるのと同じ状況で、燃焼制御機器１の燃焼制御状態を監視できるようになるとともに、燃焼制御の異常原因を正確かつ簡単に特定できるようになる。
【００８１】
図示実施例に従って本発明を説明したが、本発明はこれに限定されるものではない。例えば、実施例では、インターネット３ａを想定して説明を行ったが、インターネット３ａと同等の機能を持つイントラネットなどのようなネットワークに対してもそのまま適用できる。
【００８２】
【発明の効果】
以上説明したように、本発明では、インターネットなどのネットワークで利用されるファイル閲覧技術を利用して、燃焼制御機器の収集する燃焼制御に関する情報を遠隔監視装置で取得できるようにすることから、燃焼制御機器の収集する画像データや音声データについても遠隔監視装置で取得できるようになることで、高品質の遠隔監視を実現できるようになる。
【００８３】
例えば、熟練したメンテナンスマンは、火炎を見ることで燃焼制御状態を把握できる能力を持っており、また、火炎の燃焼音を聞くことで燃焼制御状態を把握できる能力を持っているので、本発明に従って遠隔監視装置で火炎を見たり、火炎の燃焼音を聞くことで、遠隔地からでも燃焼制御状態を把握できるようになる。
【００８４】
また、燃焼制御情報やそのトレンドデータにしても、従来技術に従っていると、燃焼制御に関係する画像データや音データを遠隔監視装置が収集できないので、遠隔地にいるメンテナンスマンは、燃焼制御状態を正確に把握できないとともに、故障原因を正確に特定できないといったことが起こるのに対して、本発明に従うとそのような不都合は起こらない。
【００８５】
例えば、火炎センサの検出するフレーム電流を見れば火炎の状態を知ることができるものの、火炎センサの故障を考慮に入れると、フレーム電流が検出されないことで火炎が消えたと断定することは出来ない。しかるに、本発明によればフレーム電流に加えて火炎も見ることができるので、火炎センサの故障も含めた形で正確な判断を下すことができるようになる。
【００８６】
また、バルブの駆動電流を見ればバルブが開いたか否かを知ることができるものの、バルブの故障を考慮に入れると、駆動電流が流れたからといってバルブが開いたと断定することは出来ない。しかるに、本発明によればバルブの駆動電流に加えてバルブの駆動音も聞くことができるので、バルブの故障も含めた形で正確な判断を下すことができるようになる。
【００８７】
また、本発明によれば燃焼制御に関係する画像データを遠隔監視装置でリアルタイムで見ることができるようになるとともに、燃焼制御に関係する音データを遠隔監視装置でリアルタイムで聞くことができるようなることから、燃焼現場にいるのと同じ状況で燃焼制御状態を監視できるようになる。
【００８８】
そして、本発明では、インターネットなどのネットワークで利用されるファイル閲覧技術を利用して、燃焼制御機器の収集する燃焼制御に関する情報を遠隔監視装置で取得できるようにすることから、ネットワークの持つ高い信頼性に従って高信頼性の遠隔監視を実現できるようになる。
【００８９】
例えば、インターネットなどのネットワークは、電話回線などと違って、経路途中が災害などの影響を受けても別経路で伝達されることから、警報の報告漏れなどが減少して、高信頼性の遠隔監視を実現できるようになる。
【００９０】
そして、インターネットなどのネットワークは、データ転送に失敗するときの再送機能を有していることから、電話回線などに比べて、燃焼制御に関する情報を遠隔監視装置にデータ転送できるようになることで、高信頼性の遠隔監視を実現できるようになる。
【図面の簡単な説明】
【図１】本発明の原理構成図である。
【図２】本発明の一実施例である。
【図３】Ｗeb画面にリンクするファイルの説明図である。
【図４】ディスプレイ画面の一実施例である。
【図５】ディスプレイ画面の一実施例である。
【図６】ディスプレイ画面の一実施例である。
【図７】トレンドデータ収集プログラムの実行する処理フローである。
【図８】トレンドデータ収集プログラムの実行する処理フローである。
【図９】トレンドデータ収集プログラムの実行する処理フローである。
【図１０】トレンドデータ送信プログラムの実行する処理フローである。
【図１１】ブラウザの実行する処理フローである。
【図１２】ディスプレイ画面の一実施例である。
【図１３】ディスプレイ画面の一実施例である。
【図１４】ディスプレイ画面の一実施例である。
【図１５】ディスプレイ画面の一実施例である。
【図１６】ディスプレイ画面の一実施例である。
【図１７】従来技術の説明図である。
【符号の説明】
１    燃焼制御機器
２    遠隔監視装置
３    ネットワーク
４    サーバ
５    撮像装置
６    集音装置
１０  登録手段
１１  収集手段
１２  転送手段
２０  取得手段
２１  出力制御手段
２２  コントロール手段
【図１】
0003800473.tif 000002
【図２】
0003800473.tif 000003
【図３】
0003800473.tif 000004
【図４】
0003800473.tif 000005
【図５】
0003800473.tif 000006
【図６】
0003800473.tif 000007
【図７】
0003800473.tif 000008
【図８】
0003800473.tif 000009
【図９】
0003800473.tif 000010
【図１０】
0003800473.tif 000011
【図１１】
0003800473.tif 000012
【図１２】
0003800473.tif 000013
【図１３】
0003800473.tif 000014
【図１４】
0003800473.tif 000015
【図１５】
0003800473.tif 000016
【図１６】
0003800473.tif 000017
【図１７】
0003800473.tif 000018